(57)【要約】【課題】雄形内導体と雌形内導体を確実に接続させる。【解決手段】雌雄両誘電体１６，４１が対向する位置関係で接近することで、雄形内導体３０のタブ３２が雌側誘電体４１内に挿入されて雌形内導体４２と接続する。雌側誘電体４１における雄側誘電体１６との対向面４１Ｓには、雌側位置決め部４７が形成され、雄側誘電体１６における雌側誘電体４１との対向面２２Ｓには、タブ３２よりも前方に配され、タブ３２が雌側誘電体４１と非接触の状態で雌側位置決め部４７と嵌合する雄側位置決め部２５が形成されている。【選択図】図１１
2018113204.tif 000002
【特許請求の範囲】
【請求項１】
雄側誘電体と、
前記雄側誘電体に設けられ、前端部にタブが形成された雄形内導体と、
前記雄側誘電体と対向するように配される雌側誘電体と、
前記雌側誘電体に設けられた雌形内導体とを備え、
前記雄側誘電体と前記雌側誘電体が対向する位置関係で接近することで、前記タブが前記雌側誘電体内に挿入されて前記雌形内導体と接続するようになっているコネクタであって、
前記雌側誘電体における前記雄側誘電体との対向面には、雌側位置決め部が形成され、
前記雄側誘電体における前記雌側誘電体との対向面には、前記タブよりも前方に配され、前記タブが前記雌側誘電体と非接触の状態で前記雌側位置決め部と嵌合する雄側位置決め部が形成されていることを特徴とするコネクタ。
【請求項２】
前記雄側誘電体が、前記雄形内導体のうち前記タブより後方の領域を保持する保持部材と、前記保持部材に対し保護位置と前記保護位置よりも後方の退避位置との間で前後方向にスライド可能なスライド部材とを備えて構成され、
前記雌側位置決め部が、前記雌側誘電体における前記スライド部材との対向面に形成され、
前記雄側位置決め部が、前記スライド部材における前記雌側誘電体との対向面に形成されていることを特徴とする請求項１記載のコネクタ。
【請求項３】
前記雄側位置決め部と前記雌側位置決め部のうち一方の前記位置決め部が突起状をなし、
他方の前記位置決め部が凹んだ形態をなしており、
前記突起状の位置決め部と前記凹んだ形態の位置決め部のうち少なくとも一方の前記位置決め部には、テーパ面が形成されていることを特徴とする請求項１又は請求項２記載のコネクタ。
【請求項４】
前記雄側誘電体が、前記タブを包囲するフード部を有する雄側ハウジング内に収容されており、
前記雄側位置決め部が突起状をなし、
前記雌側位置決め部が凹んだ形態であることを特徴とする請求項１ないし請求項３のいずれか１項記載のコネクタ。
【発明の詳細な説明】
【技術分野】
【０００１】
本発明は、コネクタに関するものである。
【背景技術】
【０００２】
特許文献１には、雄側誘電体に雄形内導体を取り付け、雌側誘電体に雌形内導体を取り付け、雌雄両誘電体を嵌合することにより、雄形内導体と雌形内導体を接続するようにしたコネクタが開示されている。
【先行技術文献】
【特許文献】
【０００３】
【特許文献１】特開２０１２−１２９１０３号公報
【発明の概要】
【発明が解決しようとする課題】
【０００４】
この種のコネクタでは、雌側誘電体の正面に、雄形内導体の先端のタブを雌側誘電体内に誘い込むためのテーパ面が形成されている。しかし、コネクタが小型化されたものの場合、雄形内導体のタブの先端部が細長く尖った形状になるため、タブがテーパ面に突き刺さることが懸念される。タブがテーパ面に突き刺さると、雌雄両内導体同士が接続されなくなる。
【０００５】
本発明は上記のような事情に基づいて完成されたものであって、雄形内導体と雌形内導体を確実に接続させることを目的とする。
【課題を解決するための手段】
【０００６】
本発明は、
雄側誘電体と、
前記雄側誘電体に設けられ、前端部にタブが形成された雄形内導体と、
前記雄側誘電体と対向するように配される雌側誘電体と、
前記雌側誘電体に設けられた雌形内導体とを備え、
前記雄側誘電体と前記雌側誘電体が対向する位置関係で接近することで、前記タブが前記雌側誘電体内に挿入されて前記雌形内導体と接続するようになっているコネクタであって、
前記雌側誘電体における前記雄側誘電体との対向面には、雌側位置決め部が形成され、
前記雄側誘電体における前記雌側誘電体との対向面には、前記タブよりも前方に配され、前記タブが前記雌側誘電体と非接触の状態で前記雌側位置決め部と嵌合する雄側位置決め部が形成されているところに特徴を有する。
【発明の効果】
【０００７】
雄側誘電体と雌側誘電体を接近させると、雄側位置決め部と雌側位置決め部が嵌合することにより、雄側誘電体とタブが雌側誘電体と雌形内導体に対して位置決めされるので、タブが、雌側誘電体と干渉することなく雌形内導体に接続される。
【図面の簡単な説明】
【０００８】
【図１】実施例１における雄側コネクタの斜視図
【図２】雄側コネクタの正面図
【図３】図２のＸ−Ｘ線断面図
【図４】保持部材の斜視図
【図５】スライド部材の斜視図
【図６】導電路の斜視図
【図７】雌側コネクタの斜視図
【図８】雌側コネクタの正面図
【図９】図８のＹ−Ｙ線断面図
【図１０】雄側コネクタと雌側コネクタの嵌合を開始した状態をあらわす側断面図
【図１１】雄側コネクタと雌側コネクタの嵌合過程において、雄側位置決め部と雌側位置決め部が嵌合した状態をあらわす側断面図
【図１２】雄側コネクタと雌側コネクタの嵌合が完了した状態をあらわす側断面図
【発明を実施するための形態】
【０００９】
本発明は、前記雄側誘電体が、前記雄形内導体のうち前記タブより後方の領域を保持する保持部材と、前記保持部材に対し保護位置と前記保護位置よりも後方の退避位置との間で前後方向にスライド可能なスライド部材とを備えて構成され、前記雌側位置決め部が、前記雌側誘電体における前記スライド部材との対向面に形成され、前記雄側位置決め部が、前記スライド部材における前記雌側誘電体との対向面に形成されていてもよい。
この構成によれば、スライド部材が保護位置にある状態で雄側誘電体と雌側誘電体を接近させると、雄側位置決め部と雌側位置決め部が嵌合することにより、雄側誘電体とタブが雌側誘電体と雌形内導体に対して位置決めされる。この状態で、雄側誘電体を雌側誘電体に接近させると、保持部材と雄側内導体が、スライド部材に対して相対変位しながら雌側誘電体に接近し、タブが、雌側誘電体と干渉することなく雌形内導体に接続される。
【００１０】
本発明は、前記雄側位置決め部と前記雌側位置決め部のうち一方の前記位置決め部が突起状をなし、他方の前記位置決め部が凹んだ形態をなしており、前記突起状の位置決め部と前記凹んだ形態の位置決め部のうち少なくとも一方の前記位置決め部には、テーパ面が形成されていてもよい。
この構成によれば、突起状の位置決め部と凹んだ形態の位置決め部との嵌合を、円滑に行わせることができる。
【００１１】
本発明は、前記雄側誘電体が、前記タブを包囲するフード部を有する雄側ハウジング内に収容されており、前記雄側位置決め部が突起状をなし、前記雌側位置決め部が凹んだ形態であってもよい。
この構成によれば、突起状の雄側位置決め部をフード部内に収容することによって異物の干渉から保護することができる。
【００１２】
＜実施例１＞
以下、本発明を具体化した実施例１を図１〜図１２を参照して説明する。尚、以下の説明において、雄側コネクタＭの前後方向については、図１，３〜６，１０〜１２における左方を前方と定義する。雌側コネクタＦの前後方向については、図７，９における右方を前方と定義する。上下の方向については、図１〜１２にあらわれる向きを、そのまま上方、下方と定義する。
【００１３】
本実施例のコネクタは、雄側コネクタＭと雌側コネクタＦとを備えて構成されている。雄側コネクタＭと雌側コネクタＦは、その前面同士を対向させた状態で互いに接近することで嵌合し、雄側コネクタＭに取り付けた雄側導電路２７の雄形内導体３０と、雌側コネクタＦに取り付けた雌側導電路４３の雌形内導体４２とを接続するものである。
【００１４】
雄側コネクタＭは、合成樹脂製の雄側ハウジング１０と、雄側ハウジング１０内に取り付けた雄側誘電体１６と、雄側誘電体１６に取り付けた雄形内導体３０とを備えて構成されている。図１〜３に示すように、雄側ハウジング１０は、収容部１１と、収容部１１の前端から前方へ角筒状に延出した形態のフード部１２とを有する単一部品である。収容部１１の内部には、前後方向に貫通した形態の収容室１３が形成されている。図３に示すように、収容室１３の上面には、前方へ片持ち状に延出した形態の弾性撓み可能なランス１４と、ランス１４より後方に配された前止まり部１５とが形成されている。
【００１５】
雄側誘電体１６は、合成樹脂製の保持部材１７と、同じく合成樹脂製のスライド部材２２とを上下に合体させて構成されている。保持部材１７は、平面視が前後方向に長い方形をなす部材である。保持部材１７の上面における前端側位置には、抜止め突起１８が形成され、保持部材１７の上面における後端側位置には、突当部１９が形成されている。保持部材１７の下面には、左右一対の係止部２０が形成されている。保持部材１７の左右両側縁部には、左右対称な一対のガイド溝２１が形成されている。
【００１６】
スライド部材２２は、平面視が前後方向に長い方形をなす部材である。スライド部材２２の上面は、後述する雄形内導体３０を前後方向への摺接を可能に載置させる平坦な載置面２３となっている。スライド部材２２の左右両側縁部には、左右対称な一対の側壁部が形成され、左右両側壁部の上端部には、左右方向（幅方向）において内側へ突出した形態の左右対称な一対のガイドリブ２４が形成されている。
【００１７】
スライド部材２２は、保持部材１７に対しその下面と対向するような位置関係で合体され、これにより、雄側誘電体１６が構成されている。保持部材１７とスライド部材２２を組み付ける際には、保持部材１７のガイド溝２１にスライド部材２２のガイドリブ２４を嵌合させ、前後方向に相対変位させる。保持部材１７とスライド部材２２を組み付けた状態では、スライド部材２２が、保持部材１７に対して保護位置（図３，１０を参照）と、保護位置より後方の退避位置（図１２を参照）との間で前後方向に相対移動し得るようになっている。スライド部材２２が保護位置にある状態では、スライド部材２２の前面２２Ｓが、保持部材１７の前面１７Ｓよりも前方に位置する。スライド部材２２が退避位置にある状態では、スライド部材２２の前面２２Ｓが、保持部材１７の前面１７Ｓに対して面一状に連なるように位置する。
【００１８】
スライド部材２２の前面２２Ｓ（雄側コネクタＭと雌側コネクタＦを嵌合する際に、雄側コネクタＭと対向する面）には、左右対称な一対の雄側位置決め部２５が形成されている。各雄側位置決め部２５は、夫々、正面視形状が円形をなしていて、スライド部材２２の前面２２Ｓから前方へ突出している。この突起状をなす雄側位置決め部２５の前端部には、前方に向かって小径となるように傾斜したテーパ面２６が形成されている。
【００１９】
雄側導電路２７は、図６に示すように、シース２８で包囲されてツイストペア線を構成する２本の電線２９と、２本の電線２９のうちシース２８を除去して露出させた前端部に個別に固着された一対の雄形内導体３０とを備えて構成されている。雄形内導体３０は、電線２９に固着された本体部３１と、本体部３１の前端から前方へ片持ち状に突出したタブ３２とを備えている。本体部３１の上面には、凹凸部３３が形成されている。タブ３２は、本体部３１に比べて高さ寸法及び幅寸法が小さく、全体として細長い形状をなしている。
【００２０】
雄形内導体３０は、本体部３１をスライド部材２２の載置面２３に載置するとともに、凹凸部３３を保持部材１７の係止部２０に係止させた状態で、雄側誘電体１６に取り付けられている。雄形内導体３０は、凹凸部３３と係止部２０との係止により、保持部材１７に対して前後方向への相対変位を規制された状態に保持されている。また、雄形内導体３０は、スライド部材２２に対しては、本板部の下面と載置面２３とを摺接させるようにして前後方向へ相対変位し得るようになっている。
【００２１】
スライド部材２２が退避位置にある状態では、保持部材１７の前面１７Ｓとスライド部材２２の前面２２Ｓが、いずれも、タブ３２の前端３２Ｐ及びタブ３２の後端部よりも後方に位置する。つまり、スライド部材２２が退避位置にある状態では、タブ３２が、保持部材１７の前面１７Ｓ及びスライド部材２２の前面２２Ｓよりも前方へ片持ち状に突出した状態となる。また、スライド部材２２が保護位置にある状態では、スライド部材２２の前面２２Ｓが、タブ３２のタブ３２の前端よりも前方に位置する。
【００２２】
雄側誘電体１６は、雄側ハウジング１０の後方から収容室１３内に挿入することによって収容されている。雄側誘電体１６を収容室１３内に収容した状態では、抜止め突起１８をランス１４に係止させるとともに、突当部１９を前止まり部１５に当接させることにより、保持部材１７が雄側ハウジング１０に対し、前後方向への相対変位を規制された状態に固定されている。スライド部材２２は収容室１３（雄側ハウジング１０）に対して前後方向へ相対変位可能である。
【００２３】
雌側コネクタＦは、合成樹脂製の雌側ハウジング４０と、雌側ハウジング４０内に取り付けた雌側誘電体４１と、雌側誘電体４１に取り付けた雌形内導体４２とを備えて構成されている。雌側誘電体４１は、合成樹脂製であり、雌側ハウジング４０内に固定された状態で収容されている。
【００２４】
雌側導電路４３は、雄側導電路２７と同様、シース４４で包囲されてツイストペア線を構成する２本の電線４５と、２本の電線４５のうちシース４４を除去して露出させた前端部に個別に固着された一対の雌形内導体４２とを備えて構成されている。一対の雌形内導体４２は、雌側誘電体４１内に相対変位を規制された状態で収容されている。
【００２５】
雌側誘電体４１の前面４１Ｓには、タブ３２を雌形内導体４２内へ挿入させるための左右一対の挿入口４６が形成されている。同じく雌側誘電体４１の前面４１Ｓには、左右一対の雌側位置決め部４７が形成されている。一対の雌側位置決め部４７は、雌側誘電体４１の前面４１Ｓを孔状に凹ませた形態であり、左右一対の挿入口４６の真下に配されている。雌側位置決め部４７の正面視形状は、円形であり、雌側位置決め部４７の内径は雄側位置決め部２５の外径と同じ寸法に設定されている。
【００２６】
雄側コネクタＭと雌側コネクタＦを嵌合する際には、図１０に示すように、雄側誘電体１６のスライド部材２２を保護位置へ移動させておき、その状態で、フード部１２を雌側コネクタＦ（雌側ハウジング４０）に外嵌する。図１０の状態から、両コネクタＦ，Ｍの嵌合を進めると、図１１に示すように、一対の雄側位置決め部２５が一対の雌側位置決め部４７内に嵌合し、スライド部材２２の前面２２Ｓが雌側誘電体４１の前面４１Ｓに当接する。
【００２７】
雄側位置決め部２５と雌側位置決め部４７が嵌合した状態では、タブ３２の前端３２Ｐがスライド部材２２の前面２２Ｓよりも後方に位置するので、タブ３２は、雌側誘電体４１や雌形内導体４２と接触していない。図１１の状態から、両コネクタＦ，Ｍの嵌合を更に進めると、スライド部材２２が雌側誘電体４１の前面４１Ｓに突き当たった状態を維持するのに対し、保持部材１７は、雄側ハウジング１０と一体となって雌側誘電体４１に接近するように移動する。
【００２８】
ここで、雄側位置決め部２５と雌側位置決め部４７との嵌合により、スライド部材２２が、雌側誘電体４１及び一対の雌形内導体４２に対して上下方向及び左右方向への相対変位を規制される。また、スライド部材２２が保護位置と退避位置との間のいずれの位置にあっても、保持部材１７とスライド部材２２は上下方向及び左右方向への相対変位を規制され、一対の雄形内導体３０と保持部材１７は上下方向及び左右方向への相対変位を規制されている。
【００２９】
これにより、一対の雄形内導体３０は、雌側ハウジング４０及び一対の雌形内導体４２に対して上下方向及び左右方向において正規の位置関係となるように位置決めされる。上下方向及び左右方向は、いずれも、両コネクタＦ，Ｍの嵌合過程で雌雄両誘電体１６，４１が接近し且つ雄形内導体３０と雌形内導体４２が接続する前後方向に対して、直交する方向である。
【００３０】
したがって、図１１に示す状態から両コネクタＦ，Ｍの嵌合を進めると、一対の雄形内導体３０は、保持部材１７と一体となって雌側誘電体４１に接近し、一対のタブ３２は、一対の挿入口４６から個別に雌側誘電体４１内に進入し、一対の雌形内導体４２と個別に導通可能に接続される。このとき、一対の雄形内導体３０は、雄側位置決め部２５と雌側位置決め部４７の嵌合によって雌側ハウジング４０に対して位置決めされているので、タブ３２が雌側誘電体４１の前面４１Ｓ（挿入口４６の周縁の誘導面４６Ｓ）に突き当たることはない。
【００３１】
本実施例のコネクタは、雄側誘電体１６と、雄側誘電体１６に設けられ、前端部にタブ３２が形成された雄形内導体３０と、雄側誘電体１６と対向するように配される雌側誘電体４１と、雌側誘電体４１に設けられた雌形内導体４２とを備えている。雄側誘電体１６と雌側誘電体４１が対向する位置関係で接近すると、タブ３２が雌側誘電体４１内に挿入されて雌形内導体４２と接続するようになっている。
【００３２】
雌側誘電体４１における雄側誘電体１６との対向面（前面４１Ｓ）には、雌側位置決め部４７が形成され、雄側誘電体１６における雌側誘電体４１との対向面（前面２２Ｓ）には、タブ３２よりも前方に配され、タブ３２が雌側誘電体４１と非接触の状態で雌側位置決め部４７と嵌合する雄側位置決め部２５が形成されている。この構成によれば、雄側誘電体１６と雌側誘電体４１を接近させると、雄側位置決め部２５と雌側位置決め部４７が嵌合することにより、雄側誘電体１６とタブ３２が雌側誘電体４１と雌形内導体４２に対して位置決めされるので、タブ３２が、雌側誘電体４１と干渉することなく雌形内導体４２に確実に接続される。
【００３３】
また、本実施例のコネクタは、雄側誘電体１６が、雄形内導体３０のうちタブ３２より後方の領域（本体部３１）を保持する保持部材１７と、保持部材１７に対し保護位置と保護位置よりも後方の退避位置との間で前後方向にスライド可能なスライド部材２２とを備えて構成されている。そして、雌側位置決め部４７は、雌側誘電体４１におけるスライド部材２２との対向面（前面４１Ｓ）に形成され、雄側位置決め部２５は、スライド部材２２における雌側誘電体４１との対向面（前面２２Ｓ）に形成されている。雄側位置決め部２５と雌側位置決め部４７は、スライド部材２２が保護位置にあり且つタブ３２が雌側誘電体４１と非接触の状態で、互いに嵌合する。
【００３４】
上記構成によれば、スライド部材２２が保護位置にある状態で雄側誘電体１６と雌側誘電体４１を接近させると、雄側位置決め部２５と雌側位置決め部４７が嵌合することにより、雄側誘電体１６とタブ３２が雄側誘電体１６と雌形内導体４２に対して位置決めされる。この状態で、雄側誘電体１６を雌側誘電体４１に接近させると、保持部材１７と雄側内導体が、スライド部材２２に対して相対変位しながら雌側誘電体４１に接近し、タブ３２が、雌側誘電体４１と干渉することなく雌形内導体４２に確実に接続される。
【００３５】
また、雄側位置決め部２５は突起状をなし、雌側位置決め部４７は凹んだ形態をなしている。そして、突起状をなす雄側位置決め部２５には、先細り状のテーパ面２６が形成されている。この構成によれば、テーパ面２６により、突起状の雄側位置決め部２５と雌側位置決め部４７との嵌合を、円滑に行わせることができる。また、雄側位置決め部２５が突起状をなし、雌側位置決め部４７が凹んだ形態であり、雄側位置決め部２５が形成されている雄側誘電体１６は、タブ３２を包囲するフード部１２を有する雄側ハウジング１０内に収容されている。この構成によれば、突起状の雄側位置決め部２５をフード部１２内に収容することによって異物の干渉から保護することができる。
【００３６】
＜他の実施例＞
本発明は上記記述及び図面によって説明した実施例に限定されるものではなく、例えば次のような実施例も本発明の技術的範囲に含まれる。
（１）上記実施例では、雄側位置決め部を突起状とし、雌側位置決め部を凹んだ形態としたが、これとは逆に、雄側位置決め部を凹んだ形態とし、雌側位置決め部を突起状としてもよい。
（２）上記実施例では、突起状の雄側位置決め部にテーパ面を形成したが、突起状の雄側位置決め部はテーパ面を有しない形態であってもよい。
（３）上記実施例では、テーパ面を突起状の位置決め部（雄側位置決め部）のみに形成したが、のテーパ面は、突起状の位置決め部（雄側位置決め部）と凹んだ形態の位置決め部（雌側位置決め部）の両方に形成してもよく、凹んだ形態の位置決め部（雌側位置決め部）のみに形成してもよい。
（４）上記実施例では、雄側位置決め部と雌側位置決め部を、夫々、一対ずつ形成したが、雄側位置決め部と雌側位置決め部の数は、１つずつでもよく、３つ以上ずつでもよい。
（５）上記実施例では、雄側誘電体が、保持部材と、保持部材に対し保護位置と退避位置との間で前後方向にスライド可能なスライド部材とを備えて構成されているが、雄側誘電体を単一部品とし、雄側位置決め部をタブよりも前方へ突出した形態としてもよい。
【符号の説明】
【００３７】
１０…雄側ハウジング
１２…フード部
１６…雄側誘電体
１７…保持部材
２２…スライド部材
２５…雄側位置決め部
２６…テーパ面
３０…雄形内導体
３２…タブ
４１…雌側誘電体
４２…雌側内導体
４７…雌側位置決め部
【図１】
2018113204.tif 000003
【図２】
2018113204.tif 000004
【図３】
2018113204.tif 000005
【図４】
2018113204.tif 000006
【図５】
2018113204.tif 000007
【図６】
2018113204.tif 000008
【図７】
2018113204.tif 000009
【図８】
2018113204.tif 000010
【図９】
2018113204.tif 000011
【図１０】
2018113204.tif 000012
【図１１】
2018113204.tif 000013
【図１２】
2018113204.tif 000014